(57)【要約】【課題】簡単かつ低コストで、ナンバープレートの盗難を防止し、車体へのナンバープレートの取付けも容易なナンバープレート取付け具およびその取付け構造を提供する。【解決手段】取付けピン２２の軸部２３へのキャップ装着時、軸部挿入穴１６の周壁と軸部２３との間に抜け止め部材１００が存在するので、装着後のキャップ１５は軸部２３から抜き取れない。軸部２３の先端部２３ｂはキャップ１５の奥壁で覆われているので、バンパ７５の裏から出た軸部２３をペンチで抜けない。よって、簡単かつ低コストで、ナンバープレート７０の盗難を防げて、その取付けも容易となる。【選択図】図１
2005297959.tif 000002
【特許請求の範囲】
【請求項１】
車両の車体の一部に、ナンバープレートをピン止めにより取付けるナンバープレート取付け具において、
軸部の一端に、表面がなめらかに球面加工された頭部を連結した取付けピンと、
前記軸部が、該軸部の先端を覆うように挿入される軸部挿入穴を有したキャップと、
該軸部挿入穴の周壁と前記軸部との間に設けられ、該軸部に装着されたキャップの抜け止め部材とを備えたナンバープレート取付け具。
【請求項２】
前記軸部の先端部付近には、前記抜け止め部材が挿着される細首部が設けられ、
前記軸部挿入穴の内壁の細首部と対向する部分には、前記抜け止め部材が位置決めされる環状の凹部が形成され、
前記抜け止め部材は、長さ方向の全長にわたって１本のスリットが形成された弾性筒体を有し、
該弾性筒体の周壁には、先端に向かうほど徐々に外方に屈曲して前記弾性筒体を小径化させるばね片が、前記周壁の一部を舌片形状に切欠して形成された請求項１に記載のナンバープレート取付け具。
【請求項３】
前記軸部の先端部付近には、前記抜け止め部材が挿着される細首部が設けられ、
前記軸部挿入穴の内壁の細首部と対向する部分には、前記抜け止め部材が位置決めされる環状の凹部が形成され、
前記抜け止め部材は、前記細首部と前記凹部とに跨がって収納される弾性を有した抜け止めリングである請求項１に記載のナンバープレート取付け具。
【請求項４】
車両の車体に形成されたピン孔と、ナンバープレートに形成されたピン孔とを重ね合わせ、両ピン孔に取付けピンを挿入するピン止めによって、前記車体の一部に前記ナンバープレートを取付けるナンバープレート取付け構造において、
前記ナンバープレートの少なくともピン孔の形成部分には、前記ナンバープレートの厚さの略半分が切断される半打ち抜き加工が施されたナンバープレート取付け具の取付け構造。
【請求項５】
前記取付けピンは、軸部の元側に、表面がなめらかに球面加工された頭部を連結したもので、
前記軸部には、該軸部の先端部が奥壁により覆われる軸部挿入穴を有したキャップが装着され、
該軸部挿入穴の奥壁と前記軸部との間には、該軸部に装着されたキャップの抜け止め部材が設けられた請求項４に記載のナンバープレート取付け具の取付け構造。
【発明の詳細な説明】
【技術分野】
【０００１】
この発明は、ナンバープレート取付け具およびその取付け構造、詳しくは簡単かつ低コストで、ナンバープレートの盗難を防止し、しかも車体へのナンバープレートの取付けも容易なナンバープレート取付け具およびその取付け構造に関する。
【背景技術】
【０００２】
自動車の車体の前部および後部に配されたバンパには、登録番号が表示された金属板からなるナンバープレート（車両登録番号板）がそれぞれ取付けられている。
従来のナンバープレートの取付け具および取付け構造として、例えば特許文献１が知られている。特許文献１では、ボルトおよびナットを用いた締結構造により、ナンバープレートをバンパに着脱自在に取付けている。
【特許文献１】特開平１０−２５８６９２号公報
【発明の開示】
【発明が解決しようとする課題】
【０００３】
しかしながら、特許文献１では、このようなボルトおよびナットの締着力により、ナンバープレートをバンパに固定していた。そのため、スパナなどの工具を用いれば、簡単にナンバープレートを車体から取り外すことが可能であった。その結果、ナンバープレートの盗難が多発していた。
この発明は、簡単かつ低コストで、ナンバープレートの盗難を防止することができるナンバープレート取付け具およびその取付け構造を提供することを目的としている。
また、この発明は、車体へのナンバープレートの取付けが容易なナンバープレート取付け具およびその取付け構造を提供することを目的としている。
さらに、この発明は、仮にナンバープレートが盗まれたとしても、ナンバープレートの再使用が困難なナンバープレート取付け構造を提供することを目的としている。
【課題を解決するための手段】
【０００４】
請求項１に記載の発明は、車両の車体の一部に、ナンバープレートをピン止めにより取付けるナンバープレート取付け具において、軸部の一端に、表面がなめらかに球面加工された頭部を連結した取付けピンと、前記軸部が、該軸部の先端を覆うように挿入される軸部挿入穴を有したキャップと、該軸部挿入穴の周壁と前記軸部との間に設けられ、該軸部に装着されたキャップの抜け止め部材とを備えたナンバープレート取付け具である。
【０００５】
請求項１に記載の発明によれば、車体のピン孔とナンバープレートのピン孔とを重ね合わせ、ナンバープレート側から取付けピンを両ピン孔に挿入する。これにより、ナンバープレートの表面に頭部が配置され、車体の裏面から軸部の先部が突出する。次に、軸部挿入穴を介して、軸部にキャップを装着する。このとき、軸部挿入穴の周壁と軸部との間には、抜け止め部材が介在されている。そのため、いったんキャップを軸部に装着すると、抜け止め部材の抜け止め作用により、キャップが軸部から抜けなくなる。しかも、軸部の先端部は奥壁によって覆われている。これにより、例えば車体の裏面からペンチなどの工具で軸部を挟んで強引に抜こうとしても、それができない。その結果、簡単かつ低コストで、ナンバープレートの盗難を防止することができる。
【０００６】
ナンバープレートとは、車両の登録番号が記載された金属板製の車両登録番号板である。ナンバープレートの形状、大きさは限定されない。
車両としては、例えば自動車、二輪車などを採用することができる。
ナンバープレートが取付けられる車体の一部としては、例えば車体の前後のバンパなどを採用することができる。
取付けピンの使用本数は、車体およびナンバープレートに形成されたピン孔の形成数により適宜変更される。
取付けピンの頭部は、ねじ回し（工具）の掛止用の凹部（すりわり、十字穴、六角穴など）が存在しない丸形の頭部、または、なべ形の頭部のように、表面がなめらかに球面加工されたものであれば限定されない。
取付けピンの軸部は、ねじ山が形成されたものでもよいし、ねじ山が形成されていないものでもよい。
【０００７】
キャップの素材は、例えば、鋼（ステンレスを含む）などの各種の金属を採用することができる。キャップの大きさは限定されない。
また、キャップの形状は、軸部の先端部を奥壁により覆うことが可能な形状であれば限定されない。例えば、袋ナットなどでもよい。
抜け止め部材は、軸部挿入穴の周壁だけに設けてもよいし、軸部だけに設けてもよい。または、軸部挿入穴の周壁と軸部との両方に設けてもよい。
抜け止め部材としては、例えば、各種の環体、各種のピン体、各種の線状体などを採用することができる。
【０００８】
請求項２に記載の発明は、前記軸部の先端部付近には、前記抜け止め部材が挿着される細首部が設けられ、前記軸部挿入穴の内壁の細首部と対向する部分には、前記抜け止め部材が位置決めされる環状の凹部が形成され、前記抜け止め部材は、長さ方向の全長にわたって１本のスリットが形成された弾性筒体を有し、該弾性筒体の周壁には、先端に向かうほど徐々に外方に屈曲して前記弾性筒体を小径化させるばね片が、前記周壁の一部を舌片形状に切欠して形成された請求項１に記載のナンバープレート取付け具である。
【０００９】
請求項２に記載の発明によれば、キャップの軸部への装着前に、抜け止め部材をキャップの軸部挿入穴の凹部に取付ける。このとき、弾性筒体の内壁には、先端に向かうほど徐々に外方に屈曲したばね片が形成されている。しかも、弾性筒体には長さ方向の全長にかけて１本のスリットが形成されている。そのため、凹部に取付けられた弾性筒体は、ばね片のばね力の作用により、スリットの幅（スリットの長さ方向と直交する方向の長さ）の範囲内で半径方向の内側に常時押し込まれている。よって、凹部に装着された弾性筒体は、通常の状態（外部からの負荷が作用しない放置状態）に比べて小径となる。
【００１０】
次に、軸部挿入穴を介して、キャップを軸部に装着して行く。これにより、その装着が完了する少し前に、軸部の先端部が弾性筒体に当接する。さらに装着を継続することで、ばね片のばね力に抗して弾性筒体が押し広げられ、この状態のまま、軸部の先端部が徐々に弾性筒体に挿入される。そして軸部の先端部が弾性筒体を通過した時、ばね片のばね力により弾性筒体が元の直径まで戻る。この時、弾性筒体が細首部に収納され、軸部の細首部が弾性筒体に堅固に掛止される。こうして、キャップの軸部への装着（固着）が完了する。よって、簡単かつ低コストで、装着されたキャップが軸部から再び抜き取れないようにしっかりと固定される。しかも、車体にナンバープレートを簡単に取付けることができる。
【００１１】
細首部とは、軸部の他の部分より細くなった部分である。
ばね片の形成数は、１つでもよいし、２つ以上でもよい。ばね片を２つ以上形成する場合には、弾性筒体の長さ方向（軸線方向）に離間して形成することができる。しかし、弾性筒体の周方向に離間して形成した方が好ましい。
スリットは、弾性筒体の環を切断するために弾性筒体に形成された弾性筒体の軸線方向に長い切り欠きである。
また、弾性筒体を軸部挿入穴に挿入する際には、ばね片の元側を軸部挿入穴の奥側に向けて挿入した方が挿入し易い。ばね片が複数の場合には、各ばね片はそれぞれの元側、先側の向きを揃えて弾性筒体に形成される。凹部の深さは、弾性筒体の厚さと略同じとすることができる。
【００１２】
請求項３に記載の発明は、前記軸部の先端部付近には、前記抜け止め部材が挿着される細首部が設けられ、前記軸部挿入穴の内壁の細首部と対向する部分には、前記抜け止め部材が位置決めされる環状の凹部が形成され、前記抜け止め部材は、前記細首部と前記凹部とに跨がって収納される弾性を有した抜け止めリングである請求項１に記載のナンバープレート取付け具である。
【００１３】
請求項３に記載の発明によれば、例えば、キャップの軸部への装着前に、抜け止めリングをキャップの凹部に取付けておく。このとき、抜け止めリングは、その一部（内周部分など）が軸部挿入穴に露出される。その後、軸部挿入穴を介して、キャップを軸部に装着して行く。
この装着が完了する少し前に、軸部の先端部が抜け止めリングに当接する。さらに装着を継続することで、抜け止めリングが押し広げられ、軸部の先端部が抜け止めリングを通り抜ける。このとき、抜き止めリングがその弾性復元力により元の大きさ（直径）まで戻る。これにより、抜け止めリングが細首部と凹部とに跨がって収納される。その結果、このように簡単かつ低コストな構成でありながら、装着されたキャップを軸部から再び抜き取れないようにしっかりと固定することができる。しかも、車体にナンバープレートを簡単に取付けることができる。
【００１４】
抜け止めリングの素材は弾性を有していれば限定されない。例えば、鋼（ステンレスなど）の各種の金属でもよいし、各種の合成樹脂でもよい。抜け止めリングは、弾性を有していれば完全なリング形状でもよいし、一箇所だけ切断されたものでもよい。
抜け止めリングは、細首部と凹部とに跨がって収納される太さ（幅）を有している必要がある。
【００１５】
請求項４に記載の発明は、車両の車体に形成されたピン孔と、ナンバープレートに形成されたピン孔とを重ね合わせ、両ピン孔に取付けピンを挿入するピン止めによって、前記車体の一部に前記ナンバープレートを取付けるナンバープレート取付け構造において、前記ナンバープレートの少なくともピン孔の形成部分には、前記ナンバープレートの厚さの略半分が切断される半打ち抜き加工が施されたナンバープレート取付け具の取付け構造である。
【００１６】
請求項４に記載の発明によれば、ナンバープレートの少なくともピン孔の形成部分に、板厚の略半分を切断する半打ち抜き加工を施す。これにより、車体へのピン止め状態でナンバープレートを強引に引き離そうとすれば、ナンバープレートのうち、他の部分より強度が小さい半打ち抜き部分が、ナンバープレートから引きちぎられる。その結果、仮に盗まれても、ナンバープレートを再使用することができない。
【００１７】
ここでいう半打ち抜き加工とは、ナンバープレートのピン孔の形成部分に対して、その厚さの略半分（例えば全厚さの４０〜６０％）を切断するプレス加工をいう。
打ち抜き加工されるナンバープレートの範囲は、少なくともピン孔の形成部分を含んでいればよい。例えばピン孔の形成部分を含むナンバープレートの３分の１〜半分の範囲でもよい。
【００１８】
請求項５に記載の発明は、前記取付けピンは、軸部の元側に、表面がなめらかに球面加工された頭部を連結したもので、前記軸部には、該軸部の先端部が奥壁により覆われる軸部挿入穴を有したキャップが装着され、該軸部挿入穴の奥壁と前記軸部との間には、該軸部に装着されたキャップの抜け止め部材が設けられた請求項４に記載のナンバープレート取付け具の取付け構造である。
【００１９】
請求項５に記載の発明によれば、取付けピン、キャップおよび抜け止め部材として請求項１のものをそれぞれ採用したので、請求項４の効果だけでなく、請求項１の効果も同時に有したナンバープレート取付け構造を得ることができる。
【発明の効果】
【００２０】
請求項１に記載の発明によれば、軸部にキャップを装着する際、軸部挿入穴の周壁と軸部との間に抜け止め部材が介在されているので、いったんキャップを軸部に装着してしまえば、キャップを軸部から簡単には抜き取れない。しかも、軸部の先端部は奥壁により覆われている。そのため、車体の裏面から軸部の先部をペンチなどで挟んで強引に引き抜くこともできない。その結果、簡単かつ低コストで、ナンバープレートの盗難を防止することができる。
【００２１】
特に、請求項２に記載の発明によれば、軸部として細首部付きのものを採用し、キャップとして軸部挿入穴の内壁に凹部が形成されたものを採用し、抜け止め部材としてスリットとばね片とを有したものを採用するようにしたので、簡単かつ低コストで、装着されたキャップを軸部から抜き取れないようにしっかりと固定することができる。しかも、車体にナンバープレートを簡単に取付けることができる。
【００２２】
また、請求項３に記載の発明によれば、軸部として細首部付きのものを採用し、キャップとして軸部挿入穴の内壁に凹部が形成されたものを採用し、抜け止め部材として細首部と凹部とに跨がって収納される抜け止めリングを採用したので、簡単かつ低コストで、装着されたキャップを軸部から抜き取れないようにしっかりと固定することができる。しかも、車体にナンバープレートを簡単に取付けることができる。
【００２３】
請求項４に記載の発明によれば、ナンバープレートのうち、少なくともピン孔の形成部分に、他の部分より強度が低下する半打ち抜き加工を施したので、ナンバープレートを強引に引き離そうとすると、半打ち抜き部分が引きちぎれる。その結果、仮にナンバープレートを盗むことができたとしても、ナンバープレートの再使用は困難になる。
【００２４】
請求項５に記載の発明によれば、取付けピン、キャップおよび抜け止め部材として請求項１のものをそれぞれ採用したので、請求項４の効果だけでなく、請求項１の効果も同時に有したナンバープレート取付け構造を得ることができる。
【発明を実施するための最良の形態】
【００２５】
以下、この発明の実施例を具体的に説明する。
【実施例１】
【００２６】
図１において、１０はこの発明の実施例１に係るナンバープレート取付け具で、このナンバープレート取付け具１０は、自動車（車両）のバンパ７５（車体）に形成されたピン孔７５ａと、ステンレス（金属）製のナンバープレート７０に形成されたピン孔７１とに一連に取付けピン２２を挿入することで、バンパ７５にナンバープレート７０を取付けるものである。
【００２７】
以下、実施例１のナンバープレート取付け具１０を具体的に説明する。
ナンバープレート取付け具１０は、軸部２３の元側に、表面がなめらかに球面加工された頭部２４を有する取付けピン２２と、軸部２３の先端部が、奥壁により覆われる軸部挿入穴１６を有したキャップ１５と、軸部挿入穴１６の周壁と軸部２３との間に設けられ、軸部２３に装着されたキャップ１５の抜け落ちを防止する抜け止め部材１００とを備えている。
【００２８】
図２に示すように、横長な矩形状を有するナンバープレート７０の表面には、上下２段（上段は小字で３字、下段は大字で４字）に分けて車体番号（記号を含む）８０が印刷されている。また、ナンバープレート７０の上側の一隅部の表面には、バーコード６１が、車体番号８０の印刷時に印刷されている。ナンバープレート７０の上側の両隅部付近には、１対のピン孔７１が形成されている。
また、ナンバープレート７０の中央部分、具体的には下段の３字目と４字目と、上段の３字を含む両ピン孔７１の形成部分とを囲む領域は、ナンバープレート７０の板厚の略半分を切断する半打ち抜き加工部７０Ａとなっている（図３）。
【００２９】
次に、図１を参照して取付けピン２２を詳細に説明する。
取付けピン２２は、軸部２３の元側に、ねじ回しの掛止用の凹部が形成されず、表面がなめらかに球面加工されたバインド形の頭部２４が一体形成されたものである。また、バインド形に代えて、曲率半径がバインド形より小さいなべ形の頭部２４を有したものでもよい（図４−１）。
軸部２３は、長さ方向の全長にわたって断面積が一定した細い円柱である。軸部２３の元部は、外ねじが形成されたねじ部２３ｅである（図１、図４−１）。軸部２３の長さ方向の略中間より先側の部分（先部）は、若干小径化した中細部２３ａとなっている。軸部２３の先端部２３ｂは、略半球形状となるように球面加工されている。また、軸部２３の先端部付近（中細部２３ａの先部）には、前記抜け止め部材１００が挿着される細首部２３ｃが形成されている（図１、図４−２、図５−１、図５−２）。
【００３０】
抜け止め部材１００は、長さ方向の全長にわたって１本のスリット１００ａが形成された弾性筒体１０１を有している。具体的には、抜け止め部材１００は長さ２４ｍｍ、幅９ｍｍ、厚さ０．９ｍｍの薄鉄板を、その長さ方向の一端側からその反対側に向かって、両端を連結せず、円筒状に巻いたものである。弾性筒体１０１の周壁には、先端に向かうほど徐々に外方に屈曲した弾性筒体小径化用のばね片１０２が、周壁の一部を舌片形状に切欠して形成されている。ばね片１０２は、弾性筒体１０１の周方向に向かって１２０°ごとに３枚配置されている。抜け止め部材１００は、各ばね片１０２の元部を軸部挿入穴１６の奥側に向けてキャップ１５に装着される（図１、図４−３）。
【００３１】
キャップ１５はステンレスなどの金属製で、砲弾形状を有している。キャップ１５の内部には、端面の中央部に開口部を有し、かつキャップ１５の軸線方向に長い前記軸部挿入穴１６が形成されている。軸部挿入穴１６は、取付けピン２２のねじ部２３より先側の部分を、全周にわたってわずかな隙間をあけて挿入可能な凹部形状を有している。すなわち、軸部挿入穴１６は、中細部収納部１６ａと、先端部収納部１６ｂと、細首部収納部（細首部と対向する部分）１６ｃとをそれぞれ有している。細首部収納部１６ｃには、抜け止め部材１００が取付けられる環状の凹部１６ｄが形成されている。凹部１６ｄの深さは、その全周にわたって、抜け止め部材１００の厚さ程度である。
【００３２】
次に、実施例１のナンバープレート取付け具１０を利用し、ナンバープレート７０をバンパ７５に取り付ける方法（ナンバープレート取付け構造を含む）を説明する。
図１および図２に示すように、まず、バンパ７５の左右１対のピン孔７５ａと、ナンバープレート７０の対応するピン孔７１とをそれぞれ重ね合わせる。また、バンパ７５の一方のピン孔７５の形成部の裏側には、ピン孔５１付きでかつバーコード６０が印刷された小板５０を配置する（図６）。その後、左側の両ピン孔７１，７５ａの形成部および右側の両ピン孔７１，７５ａの形成部（小板のピン孔の形成部を含む）に対して、それぞれ表裏２枚の座金９０を当てがい、鳩目４０を用いてこれらを堅固にかしめる（図７）。鳩目４０を使用することで、ナンバープレート７０のバンパ７５からの取り外しがさらに困難になる。
【００３３】
一方、抜け止め部材１００をキャップ１５の軸部挿入穴１６に挿入する。そして、抜け止め部材１００を凹部１６ｄに取付ける。このとき、弾性筒体１０１の内壁には、先端に向かうほど徐々に外方に屈曲したばね片１０２が形成されている。しかも、弾性筒体１０１には、長さ方向の全長にかけて１本のスリット１００ａが形成されている。そのため、凹部１６ｄに取付けられた弾性筒体１０１は、ばね片１０２のばね力の作用により、スリット１００ａの幅の範囲内で半径方向の内側に常時押し込まれている。その結果、凹部１６ｄに装着された弾性筒体１０１は、通常の状態（外部からの負荷が作用しない放置状態）に比べて小径となる。
【００３４】
次に、ナンバープレート７０側から１対の取付けピン２２を左右のピン孔７１，７５ａにそれぞれ挿入する。これにより、ナンバープレート７０の表面に各取付けピン２２の頭部２４が配置され、バンパ７５の裏面から軸部２３の先部が突出する。
それから、軸部挿入穴１６を介して、キャップ１５を軸部２３に装着して行く。その装着が完了する少し前に、軸部２３の先端部が弾性筒体１０１に当接する。さらに装着を継続することで、ばね片１０２のばね力に抗して弾性筒体１０１が押し広げられ、この状態のまま、軸部２３の先端部が徐々に弾性筒体１０１に挿入される。そして軸部２３の先端部が弾性筒体１０１を通過した時、ばね片１０２のばね力により弾性筒体１０１が元の直径まで戻る。このとき、弾性筒体１０１が細首部２３ｃに収納され、軸部２３の細首部２３ｃが弾性筒体１０１に堅固に掛止される。こうして、キャップ１５の軸部２３への装着が完了する。また、前述したワンタッチ操作で、ナンバープレート７０をバンパ７５に取付けることができる。
【００３５】
このように、軸部２３にキャップ１５を装着する際、軸部挿入穴１６の周壁と軸部２３との間に抜け止め部材１００を介在するようにしたので、いったんキャップ１５を軸部２３に装着すると、抜け止め部材１００の抜け止め作用により、キャップ１５が軸部２３から抜けなくなる。しかも、軸部２３の先端部は、キャップ１５の奥壁により覆われている。そのため、例えば図示しないペンチなどの工具を用いて、バンパ７５の裏面から突出した軸部２３の先部を挟み、取付けピン２２を抜き取ろうとしても抜き取ることはできない。これにより、簡単かつ低コストで、ナンバープレート７０の盗難を防止することができる
また、ナンバープレート７０のうち、左右のピン孔７１の形成部分を含む中央部一帯に、他の部分より強度が低くなる半打ち抜き加工が施されている。これにより、ナンバープレート７０を強引にバンパ７５から引き離そうとすると、半打ち抜き加工部７０Ａが破損する。その結果、盗まれたナンバープレート７０は再使用することができない。
【００３６】
次に、図８〜図１０を参照して、この発明の実施例２に係るナンバープレート取付け具１０Ａおよびその取付け構造を説明する。
図８〜図１０に示すように、実施例２のナンバープレート取付け具１０Ａの特徴は、実施例１の抜け止め部材１００に代えて、細首部２３ｃと凹部１６ｄとに跨がって収納される弾性を有する抜け止めリング（抜け止め部材）３０を採用した点である。抜け止めリング３０は、細い鋼製の小径なリングである。
取付けピン２２の軸部２３としては、先端部が円錐形状で、かつこの先端部に近接して断面矩形状の短尺な細首部２３ｃを有したものを採用している。また、キャップ１５としては、砲弾形状の軸部挿入穴１６が形成され、しかも軸部挿入穴１６の開口部付近に、細首部２３ｃと連通（合致）する環状の凹部１６ｄ（溝）が形成されたものを採用している。
なお、取付けピン２２は、曲率半径が小さいなべ形の頭部２４Ａを有したものでもよい（図９、図１０）。また、キャップ１５は、袋ナット形状のキャップ３５でもよい。
【００３７】
次に、この実施例２のナンバープレート取付け具１０Ａの使用方法を説明する。
図８に示すように、キャップ１５を軸部２３に装着する前に、抜け止めリング３０をキャップ１５の凹部１６ｄに取付ける。このとき、抜け止めリング３０は、その内周部分が軸部挿入穴１６に露出される。その後、軸部挿入穴１６を介して、キャップ１５を軸部２３に装着して行く。
この装着が完了する少し前に、軸部２３の先端部が抜け止めリング３０に当接する。さらに装着を継続することで、抜け止めリング３０が押し広げられ、軸部２３の先端部が抜け止めリング３０を通り抜ける。このとき、抜き止めリング３０がその弾性復元力により元の口径まで戻る。これにより、抜け止めリング３０が細首部２３ｃと凹部１６ｄとに跨がって収納される。その結果、このような簡単かつ低コストな構成でありながら、装着されたキャップ１５を軸部２３から再び抜き取れないように、しっかりと固定することができる。
その他の構成、作用および効果は、実施例１と略同じであるので説明を省略する。
【図面の簡単な説明】
【００３８】
【図１】この発明の実施例１に係るナンバープレート取付け具が使用されたナンバープレート取付け構造を示す一部に断面を含む分解図である。
【図２】この発明の実施例１に係るナンバープレートの正面図である。
【図３】この発明の実施例１に係るナンバープレートの半打ち抜き加工部の断面図である。
【図４−１】この発明の実施例１に係る他の取付けピンの正面図である。
【図４−２】この発明の実施例１に係る抜け止め部材の斜視図である。
【図４−３】この発明の実施例１に係るキャップの斜視図である。
【図５−１】この発明の実施例１に係るキャップの正面図である。
【図５−２】この発明の実施例１に係るキャップの斜視図である。
【図６】この発明の実施例１に係る小片の正面図である。
【図７】この発明の実施例１に係る鳩目の斜視図である。
【図８】この発明の実施例２に係るナンバープレート取付け具が使用されたナンバープレート取付け構造を示す一部に断面を含む縦断面図である。
【図９】この発明の実施例２に係るナンバープレート取付け構造の分解斜視図である。
【図１０】図９に示すナンバープレート取付け具の各構成部品の縦断面図である。
【符号の説明】
【００３９】
１０，１０Ａ  ナンバープレート取付け具、
１５  キャップ、
１６  軸部挿入穴、
１６ｄ  凹部、
２２  取付けピン、
２３  軸部、
２３ｂ  先端部、
２３ｃ  細首部、
２４，２４Ａ  頭部、
３０  抜け止めリング（抜け止め部材）、
７０  ナンバープレート、
７０Ａ  半打ち抜き加工部、
７１  ピン孔、
７５  バンパ（車体）、
１００  抜け止め部材、
１００ａ  スリット、
１０１  弾性筒体、
１０２  ばね片。
【図１】
2005297959.tif 000003
【図２】
2005297959.tif 000004
【図３】
2005297959.tif 000005
【図４−１】
2005297959.tif 000006
【図４−２】
2005297959.tif 000007
【図４−３】
2005297959.tif 000008
【図５−１】
2005297959.tif 000009
【図５−２】
2005297959.tif 000010
【図６】
2005297959.tif 000011
【図７】
2005297959.tif 000012
【図８】
2005297959.tif 000013
【図９】
2005297959.tif 000014
【図１０】
2005297959.tif 000015